(57)【要約】【課題】  高齢者や動作が不自由な障害を持つ障害者等においては、ベッド上での起居や車椅子への移乗は苦痛且つ難儀であり、一方介護者側でも介護時の姿勢から、腰・肩・腕に課題な負荷がかかり職業病と言われる状態にある為、解決策としてスライド式介護ベッドが提案されているが、ベッドの搬送や一時保管更に家庭介護での扱いにおいて、一層の扱いやすさを希望するケースが非常に多く、扱い易さを実現できる介護ベッドの出現が待たれていた。【解決手段】  スライド式介護ベッドにおいて、ベッド本体を頭側ベッドフレームと脚側ベッドフレームとに分離できる構成とし、頭側ベッドフレームの基幹部に介護型車椅子を装備する事で乗り換え動作が省け、ベッドとして使用する際の変更・拡張をワンタッチ方式で迅速に行える構成とした、介護型車椅子として使用可能な分離可能スライド式介護ベッドを提供する。【選択図】    図１
0003117468.tif 000002
【実用新案登録請求の範囲】
【請求項１】
介護用スライドベッドにおいて、ベッドフレーム本体を頭側ベッドフレームと脚側ベッドフレームの分離型とし、頭側ベッドフレームの基幹部を介護型車椅子とした構成とし、ベッド使用時には、ベースフレーム及び背もたれフレーム枠に着脱式サブ・フレームを装着して拡張使用が可能な構成としてあり、該着脱式サブ・フレーム等の着脱操作により、介護用車椅子及びスライド式介護ベッドとして共用可能な構成としてあり、更に分離型の脚側ベッドフレームが左右に摺動できる様に、頭側ベッドフレームと脚側ベッドフレーム相互の間に摺動部を設けた構成としてある、介護型車椅子として使用可能な分離可能スライド式介護ベッド。
【請求項２】
頭側ベッドフレーム基幹部の介護型車椅子において、背もたれ枠部の倒立角度の設定が所定の位置を保持できる様に、倒立用アクチュエーター（例えばガス・スプリング）で駆動し、所定の停止位置を保持できる様な停止角度保持装置と併用することで、背もたれ枠の停止位置を自在に操作できる構成を有する、請求項１記載の介護型車椅子として使用可な分離可能スライド式介護ベッド。  
【考案の詳細な説明】
【技術分野】
【０００１】
本考案は、主として介護業務における福祉施設及び家庭等での介護業務において要介護者および介護者双方の、介護時における苦痛と負担の軽減を可能とする事のできる、介護型車椅子として使用可能な分離可能スライド式介護ベッドに関する。
【背景技術】
【０００２】
本考案は、福祉施設や家庭介護等における患者（重症患者・障害者・年長者等で以下で患者等と言う）のベッドへの乗り降り・車椅子への移乗・オムツ交換・体位変更等の際の患者等や介護者の負担と苦痛を軽減できる様な構成とした、介護型車椅子として使用可能な分離可能スライド式介護ベッドに関する。
【考案の開示】
【考案が解決しようとする課題】
【０００３】
福祉施設・家庭等における患者等の介護は、一部の施設を除いて老々介護又はそれに近い状態にあり、老夫婦がどちらかを看ているか、老親を非力な嫁が看ているのが実情で有ると言える状況に有る。
何れの場合でも非力な介護者が力仕事を要求されるケースであり、この非力さが患者等に必要以上の苦痛を与える事になり、一方の介護者にとっては無理な姿勢での力仕事を要求される事になり、腰や肩・腕の過労による障害が社会問題視されている現状である。
これらの現象については、福祉施設での介護や介護保険における家庭介護においても多くの課題が提示されており、福祉介護全体の課題となっていると言える。
【課題を解決するための手段】
【０００４】
上記の課題を解決するため、介護ベッドにおいて背もたれ枠部と座部を横方向にスライドさせる構成としたスライド式介護ベッドが提示された事で、課題の殆どが解決される事になったが、福祉施設等ではベッドの配置替え等で、もっと扱いやすいものに出来ないか等の要望もあり、特に家庭介護においてはベッドの移動には苦労する事が多いので、ベッドフレームを頭側ベッドフレームと脚側ベッドフレームとに分離できる構成として、相互をスライド出来るスライド式介護ベッドを提供できる様にし、更に頭側スライドフレームの基幹部を介護型車椅子とする構成とした事で、患者等や介護者側の要望にも充分に応える事が可能になった。
【０００５】
背もたれフレーム枠の倒立にローコストのアクチュエーター（例えばガス・スプリング）を採用する事と、停止位置保持装置を併用する事で所定の停止位置での保持が容易になると同時に、大幅なコストダウンを図る事ができ併せて電源コードの引き回しが省けることで、足許の環境が改善され患者等が足を取られる危険性が少なくなる等のメリットが生まれる事にもなった。
【０００６】
脚側ベッドフレームのスライド操作においては、特に家庭介護のケースでは床面は畳敷きやマット等が殆どであるので、これらのケースでは例えば厚手・半硬質のプラスチック・シートなどをキャスター走行面に敷設して置く事で非力な介護者でもスライド操作を比較的容易に行えるようになる。
脚側ベッドフレームのスライド操作は、ベッドの設置場所によっては左・右スライドの
切り替えが必要になるが、本考案の分離可能なスライドベッドでは左・右何れの操作にも対応可能な構成とされている。
【０００７】
従来の介護式スライドベッドでは、スライド操作時にベッドフレーム本体に偏荷重が掛かるため、偏荷重承け装置が必要になるが、之らの装置はベッドフレームの外側に踏ん張りを設ける構成となっていたが、本考案の分離可能なスライド式介護ベッドでは不要となるので、介護時に足許の障害物が無くなり足許の環境が改善される。
【０００８】
本考案は、以上で説明したように構成されているので、下記に示すような効果を表わす事ができる。
【０００９】
介護に伴う患者等・介護者の苦痛を大幅に軽減する事ができる。
【００１０】
ベッド上での起居を余儀なくされている患者等は、病状とそれに伴う症状が千差万別であり且つ個人差が大きいので一概には言えないが、従来タイプのベッドが患者等の起居に伴う動作に対して、快適な環境には成っていないと言える。
【００１１】
特にベッドと車椅子間の移乗は、患者等にとっては最も苦痛の多い動作と言える。
先に提示されているスライド式介護ベッドでは、スライド機構を活かすことで、患者等の座位からの起立動作と起立状態から座位への補助動作だけで、車椅子への移乗が完結するので患者等と介護者双方の苦痛と負荷が大幅に軽減されているが、本考案では頭側ベッドフレームの基幹部が介護型車椅子で構成されているので、乗り換え作業が全く要らなくなるので画期的な改善が図られたものであると言える。
【００１２】
オムツ交換での苦痛や負荷が大幅に軽減される。
オムツ交換では、仰臥の状態で脚側ベッドフレームをスライドさせ、介護者がコーナー部に立つ事で患者等の体をほぼ真上から引き上げて浮かす事ができるので、患者と介護者双方の苦痛や負荷が大幅に軽減される事になる。
【００１３】
介護者の負荷と苦痛が大幅に軽減される。
患者等の臥位変更においても、オムツ交換と同様に脚側ベッドフレームをスライドさせる事で、介護者の体に近い所での作業となり、更に車椅子への乗り換え動作が不要となり大幅な負荷の軽減が図られ、介護者の職業病と言われている腰・肩・腕への過負による疾病を未然に防ぐ事が可能になる。
【００１４】
車椅子への乗り換えが要らなくなる。
患者等の日常生活において、ベッドを離れる回数は個人差もあるが一日の内で可成な回数であり、その都度車椅子への乗り換え作業が必要になるが、すでに提示されているスライド式介護ベッドにおいてもその都度介護者の手助けを承けての動作となるので、患者等にとっては可成な負担となるが、本考案の構成では頭側ベッドフレームの基幹部が介護型車椅子で構成されているので、前記の乗り換え動作が省けるため患者等の負荷が大幅に減らせる事になる。
【考案を実施するための最良の形態】
【００１５】
本考案の実施の形態を実施例に基づき図面を参照して説明する。
図１においては、分離可能なスライド式介護ベッドにおける頭側ベッドフレーム１と脚側ベッドフレーム２がベッド横行スライド機構３で、スライド自在に連結され相互が摺動できる構成としてあり、前記頭側ベッドフレーム１には介護型車椅子(図２参照)が基幹部に内臓されている。
【００１６】
図２においては、頭側ベッドフレーム１の基幹部に内蔵された介護型車椅子が斜視全体図で示されている。
介護型車椅子のベースフレーム１の中間部に背もたれのフレーム枠５の基端部材４Ａの両端部を支承軸受け４Ｂで倒立自在に承けてあり、ベースフレーム１の四隅部にキャスター付き支柱６を支柱承けブラケット７を介して折り畳み自在となるように設けてある。
背もたれフレーム枠５の倒立駆動部の概要を図４に示してある。
【００１７】
図３には横行スライド機構の断面図が示されている。
頭側ベースフレーム１の末端下端部に設けたＬ字形摺動基板８に対し、脚側ベースフレーム２の先端下端部に設けた略Ｌ字形摺動基板９を係合状態に設け、前記Ｌ字型摺動基板８の両表面に摺動板１０（対磨耗材、例えばオイレスメタル、対磨耗性プラスチック等）を装着して軽快・確実なスライド動作を維持できる様に構成してあり、前記Ｌ字型摺動基板に対向する形に摺動安定板１１を設け横行摺動の安定を保持できる構成としてある。
【００１８】
図４には介護型車椅子の背もたれフレーム枠５の駆動機構が側面図で示されている。
頭側ベッドフレーム１に設けたエンド承けブラケット１２に保持された倒立駆動アクチュエーター１３（例えばガスシリンダー）のロッドエンドを背もたれフレーム枠５の駆動レバー１４に連結して倒立動作をコントロールする。
【００１９】
図５には、折畳み式キャスター付き支柱脚６の正面図が示されている。介護型車椅子のベースフレーム１の端部に装着した折畳み脚ブラケット７を介して支承ピン１５で連結し、支柱脚クリック・ストップ１６がストップ穴１７に嵌合して倒立時の位置決めがなされる。
【００２０】
図６には、背もたれフレーム枠５の倒立駆動における停止位置制御を行うラチエット装置の正面図が示されている。
背もたれフレーム枠５の作動範囲約９０度を所定の角度毎に停止できるように、ラチェット・ホイール１８の歯溝部にラチェット・レバー１９の先端部が嵌合し位置決めし、ねじりコイル２０で嵌合状態を確実に保持できる構成としてある。
【００２１】
図７には、背もたれフレーム枠５の倒立駆動における停止位置制御を行うラチェット装置の平面図が示されている。
背もたれフレーム枠５の基端部材４Ａの両端部を支承軸受４Ｂで承け、先端軸部にラチェット・ホイール１８を装着してラチェット・レバー１９と係合させ、ベース金具２４を介してベースフレーム１に装着してあり、ねじりコイルバネ２０の装着状態が示されている。
【００２２】
図９には、介護型車椅子のベースフレーム１と左・右拡張ベース２２と頭側拡張ベース２３の配置状態が示されている。
ベースフレーム１と各拡張ベースの連結部は図５で図示されているベース連結クリップ・ストップ２３で、着脱時の固定保持が確保される構成としてある。
【００２３】
介護型車椅子の背もたれフレーム枠５においても、左右に拡張枠２５が着脱できる構成として、固定部のクリップ・ストップは拡張ベースの場合に順じた物で確実な連結の保持を図る様に構成する。
【００２４】
前記のように拡張ベース２２・２３と拡張枠２５の着脱が簡略化されることで、介護型ベッドと介護型車椅子への切り替え動作が迅速に行える事になり、併せて敷きマットにおいても迅速な切り替えが出来る様に対応させる構成としておく様にする。
【図面の簡単な説明】
【００２５】
【図１】介護型車椅子として使用可能な分離可能なスライド式介護ベッドのスライド時の斜視概念図
【図２】介護型車椅子の斜視概念図
【図３】頭側ベースフレームと脚側ベースフレーム相互のスライド機構の断面図
【図４】介護型車椅子の背もたれフレーム枠の駆動部の構成を示す概念図
【図５】頭部ベースフレームの支柱脚及び拡張フレーム接続部の概念図
【図６】介護型車椅子の背もたれフレーム枠の角度保持機構の正面概念図
【図７】背もたれフレーム枠の角度保持機構の平面概念図
【図８】背もたれフレーム枠と頭側ベースフレームと拡張ベースの位置関係を示す側面図
【図９】介護型車椅子のベースフレームと拡張フレームの位置関係を示す平面概念図
【符号の説明】
【００２６】
１      介護型車椅子のベースフレーム
２      脚側ベースフレーム
３      ベースフレーム相互のスライド機構
４Ａ    背もたれフレーム枠基端部材
４Ｂ    背もたれフレーム枠支承軸受
５      背もたれフレーム枠
６      介護型車椅子ベースフレーム折畳み式キャスター付き支柱脚
７      介護型車椅子ベースフレーム支柱脚ブラケット
８      頭側・脚側ベースフレーム相互の横行スライド機構のＬ字型摺動基板
９      横行スライド機構の略Ｌ字型摺動基板
１０    横行スライド機構の摺動板
１１    横行スライド機構の摺動安定板
１２    背もたれフレーム枠駆動アクチュエーターのエンド承けブラケット
１３    背もたれフレーム枠駆動アクチュエーター
１４    背もたれフレーム枠駆動レバー
１５    介護型車椅子ベースフレーム支柱脚支承ピン
１６    介護型車椅子ベースフレーム支柱脚クリック・ストップ
１７    ベースフレーム支柱脚クリックストップのストップ穴
１８    背もたれフレーム枠角度保持用ラチェット・ホイール
１９    角度保持用ラチェット・レバー
２０    ねじりコイル
２１    ラチェットレバー・ベース金具
２２    介護型車椅子ベースフレームの左右拡張ベース
２３    介護型車椅子ベースフレームの頭部拡張ベース
２４    各拡張ベース連結クリック・ストップ
２５    背もたれフレーム枠左・右拡張枠
【図１】
0003117468.tif 000003
【図２】
0003117468.tif 000004
【図３】
0003117468.tif 000005
【図４】
0003117468.tif 000006
【図５】
0003117468.tif 000007
【図６】
0003117468.tif 000008
【図７】
0003117468.tif 000009
【図８】
0003117468.tif 000010
【図９】
0003117468.tif 000011